(57)【要約】      （修正有）【課題】高い色温度の光を照射する放電ランプであって、発光効率の向上、管電圧の上昇の抑制、および長寿命化を図る。【解決手段】放電ランプ１００は、金属ハロゲン化物２と不活性ガスとを含む放電媒体が封入された放電空間１１１を有する発光部１１と、放電空間１１１の内部に突出し、所定の距離を置いて対向配置させた一対の電極３２を具備している。金属ハロゲン化物に対するインジウムのハロゲン化物の重量比は、３５ｗｔ％以上、４５ｗｔ％以下、スカンジウムのハロゲン化物の重量比は、３２ｗｔ％以上、５０ｗｔ％以下、ナトリウムのハロゲン化物の重量比は、７ｗｔ％以上、１８ｗｔ％以下である。不活性ガスはキセノンである。キセノンの２５℃における圧力をＸ、放電空間の容積をＶ、金属ハロゲン化物の重量をＭとした場合に次の式を満たす。０．４５≦Ｘ／Ｖ≦０．５５、７．２≦Ｍ／Ｖ≦１１．２【選択図】図１
2017216151.tif 000002
【特許請求の範囲】
【請求項１】
金属ハロゲン化物と、不活性ガスと、を含む放電媒体が封入された放電空間を内部に有する発光部と；
前記放電空間の内部に突出し、所定の距離を置いて対向配置させた一対の電極と；
を具備した放電ランプであって、
前記金属ハロゲン化物は、インジウムのハロゲン化物、スカンジウムのハロゲン化物、およびナトリウムのハロゲン化物を含み、
前記金属ハロゲン化物に対する前記インジウムのハロゲン化物の重量比は、３５ｗｔ％以上、４５ｗｔ％以下であり、
前記金属ハロゲン化物に対する前記スカンジウムのハロゲン化物の重量比は、３２ｗｔ％以上、５０ｗｔ％以下であり、
前記金属ハロゲン化物に対する前記ナトリウムのハロゲン化物の重量比は、７ｗｔ％以上、１８ｗｔ％以下であり、
前記不活性ガスは、キセノンであり、
前記放電空間に封入された前記キセノンの常温（２５℃）における圧力をＸ（ａｔｍ）、前記放電空間の容積をＶ（μＬ；マイクロリットル）、前記金属ハロゲン化物の重量をＭ（μｇ）とした場合に以下の式を満たす放電ランプ。  
０．４５（ａｔｍ／μＬ）≦Ｘ／Ｖ（ａｔｍ／μＬ）≦０．５５（ａｔｍ／μＬ）  
７．２（μｇ／μＬ）≦Ｍ／Ｖ（μｇ／μＬ）≦１１．２（μｇ／μＬ）
【請求項２】
前記金属ハロゲン化物は、亜鉛のハロゲン化物をさらに含み、
前記金属ハロゲン化物に対する前記亜鉛のハロゲン化物の重量比は、１．０ｗｔ％以上、５．０ｗｔ％以下である請求項１記載の放電ランプ。
【請求項３】
前記発光部から照射される光の色温度は、５５００Ｋ（ケルビン）以上である請求項１または２に記載の放電ランプ。
【請求項４】
発光効率が８０ ｌｍ／Ｗ（ルーメン／ワット）以上である請求項１〜３のいずれか１つに記載の放電ランプ。
【請求項５】
前記放電媒体は、実質的に水銀を含んでいない請求項１〜４のいずれか１つに記載の放電ランプ。
【発明の詳細な説明】
【技術分野】
【０００１】
本発明の実施形態は、放電ランプに関する。
【背景技術】
【０００２】
放電媒体が封入された放電空間を内部に有する発光部と、放電空間の内部に突出し、所定の距離を置いて対向配置させた一対の電極とを備えた放電ランプがある。  
従来、放電媒体は、金属ハロゲン化物、不活性ガス、および水銀を含んでいた。しかしながら、近年においては環境保護の観点から、放電媒体には水銀を含めないようにしている。
【０００３】
ここで、自動車の前照灯には、４０００Ｋ（ケルビン）程度の色温度の光を照射する放電ランプが用いられている。しかしながら、近年においては、より高い色温度の光を照射する放電ランプが好まれる傾向にある。  
放電ランプから照射される光の色温度は、金属ハロゲン化物の組成比により変更することができる。  
ところが、単に、金属ハロゲン化物の組成比により放電ランプから照射される光の色温度を高めるようにすると、発光効率が低下するという問題がある。
【０００４】
この場合、発光部の温度を高くすれば発光効率の低下を抑制することができるが、単に、発光部の温度を高くすれば点灯開始時の管電圧が高くなりチラツキなどが発生しやすくなるという新たな問題が生じる。  
この場合、金属ハロゲン化物の量を少なくすれば管電圧が高くなるのを抑制することができるが、単に、金属ハロゲン化物の量を少なくすれば寿命が短くなるという新たな問題が生じる。  
そのため、高い色温度の光を照射する放電ランプであっても、発光効率の向上、管電圧の上昇の抑制、および長寿命化を図ることができる放電ランプの開発が望まれていた。
【先行技術文献】
【特許文献】
【０００５】
【特許文献１】特開２００８−９８０４５号公報
【発明の概要】
【発明が解決しようとする課題】
【０００６】
本発明が解決しようとする課題は、高い色温度の光を照射する放電ランプであっても、発光効率の向上、管電圧の上昇の抑制、および長寿命化を図ることができる放電ランプを提供することである。
【課題を解決するための手段】
【０００７】
実施形態に係る放電ランプは、金属ハロゲン化物と、不活性ガスと、を含む放電媒体が封入された放電空間を内部に有する発光部と；前記放電空間の内部に突出し、所定の距離を置いて対向配置させた一対の電極と；を具備した放電ランプである。  
前記金属ハロゲン化物は、インジウムのハロゲン化物、スカンジウムのハロゲン化物、およびナトリウムのハロゲン化物を含む。前記金属ハロゲン化物に対する前記インジウムのハロゲン化物の重量比は、３５ｗｔ％以上、４５ｗｔ％以下である。前記金属ハロゲン化物に対する前記スカンジウムのハロゲン化物の重量比は、３２ｗｔ％以上、５０ｗｔ％以下である。前記金属ハロゲン化物に対する前記ナトリウムのハロゲン化物の重量比は、７ｗｔ％以上、１８ｗｔ％以下である。前記不活性ガスは、キセノンである。放電ランプは、前記放電空間に封入された前記キセノンの常温（２５℃）における圧力をＸ（ａｔｍ）、前記放電空間の容積をＶ（μＬ；マイクロリットル）、前記金属ハロゲン化物の重量をＭ（μｇ）とした場合に以下の式を満たす。  
０．４５（ａｔｍ／μＬ）≦Ｘ／Ｖ（ａｔｍ／μＬ）≦０．５５（ａｔｍ／μＬ）  
７．２（μｇ／μＬ）≦Ｍ／Ｖ（μｇ／μＬ）≦１１．２（μｇ／μＬ）
【発明の効果】
【０００８】
本発明の実施形態によれば、高い色温度の光を照射する放電ランプであっても、発光効率の向上、管電圧の上昇の抑制、および長寿命化を図ることができる放電ランプを提供することができる。
【図面の簡単な説明】
【０００９】
【図１】本実施の形態に係る放電ランプ１００を例示するための模式図である。
【発明を実施するための形態】
【００１０】
以下、図面を参照しつつ、実施の形態について例示をする。  
本発明の実施形態に係る放電ランプは、例えば、自動車の前照灯に用いられるＨＩＤ（High Intensity Discharge）ランプとすることができる。また、放電ランプが自動車の前照灯に用いられるＨＩＤランプである場合には、いわゆる水平点灯を行うものとすることができる。
【００１１】
本発明の実施形態に係る放電ランプの用途は、自動車の前照灯に限定されるわけではないが、ここでは一例として、放電ランプが自動車の前照灯に用いられるＨＩＤランプである場合を例に挙げて説明する。
【００１２】
図１は、本実施の形態に係る放電ランプ１００を例示するための模式図である。  
なお、図１においては、放電ランプ１００を自動車に取り付けた場合に、前方となる方向を前端側、後方となる方向を後端側、上方となる方向を上端側、下方となる方向を下端側としている。
【００１３】
図１に示すように、放電ランプ１００には、バーナー１０１およびソケット１０２が設けられている。  
バーナー１０１には、外管５、内管１、電極マウント３、サポートワイヤ３５、スリーブ４、および金属バンド７１が設けられている。
【００１４】
外管５は、内管１の外側に内管１と同芯に設けられている。すなわち、バーナー１０１は、外管５と内管１とによる二重管構造を有している。外管５は、内管１の円筒部１４付近に接合（溶着）されている。  
内管１と外管５との間に形成された閉空間には、ガスが封入されている。封入されるガスは、誘電体バリア放電が可能なガスとすることができる。封入されるガスは、例えば、ネオン、アルゴン、キセノン、窒素から選択された一種のガス、またはこれらの混合ガスとすることができる。ガスの封入圧力は、例えば、常温（２５℃）で０．３ａｔｍ以下とすることができる。なお、ガスの封入圧力は、常温（２５℃）で０．１ａｔｍ以下とすることがより好ましい。
【００１５】
外管５は、内管１の材料の熱膨張係数に近い熱膨張係数を有し、且つ、紫外線遮断性を有する材料から形成することが好ましい。外管５は、例えば、チタン、セリウム、アルミニウム等の酸化物が添加された石英ガラスから形成することができる。
【００１６】
内管１は、発光部１１、封止部１２、境界部１３、および円筒部１４を有する。発光部１１、封止部１２、境界部１３、および円筒部１４は、一体に形成することができる。  
内管１（発光部１１、封止部１２、境界部１３、および円筒部１４）は、透光性と耐熱性を有する材料から形成されている。内管１は、例えば、石英ガラスなどから形成することができる。
【００１７】
発光部１１は、ほぼ楕円体状の外形形状を有している。発光部１１は、内管１の中央付近に設けられている。内管１の軸方向における発光部１１の寸法（球体長）は、例えば、８ｍｍ程度とすることができる。内管１の軸方向に直交する方向における発光部１１の寸法は、例えば、６ｍｍ程度とすることができる。
【００１８】
発光部１１の内部には、放電空間１１１が設けられている。放電空間１１１の中央部分は、ほぼ円柱状を呈している。放電空間１１１の両端部分は、ほぼ円錐状を呈している。
【００１９】
放電空間１１１には、放電媒体が封入されている。放電媒体は、金属ハロゲン化物２と、不活性ガスとを含む。
【００２０】
また、本実施の形態に係る放電ランプ１００においては、環境保護の観点から、放電媒体は、実質的に水銀を含まないものとしている。なお、本明細書において、「実質的に水銀を含まない」とは、水銀を全く含まないだけではなく、水銀が不純物程度に含まれる場合も許容される。例えば、放電媒体は、放電空間１１１中において、２ｍｇ／ｃｃ未満となるのであれば水銀を含むことができる。
【００２１】
金属ハロゲン化物２は、例えば、スカンジウムのハロゲン化物、インジウムのハロゲン化物、ナトリウムのハロゲン化物、亜鉛のハロゲン化物を含むものとすることができる。  ハロゲンとしては、例えば、ヨウ素を例示することができる。ただし、ヨウ素の代わりに臭素や塩素などを用いることもできる。
【００２２】
放電空間１１１に封入される不活性ガスは、例えば、キセノンとすることができる。また、キセノンの他に、ネオン、アルゴン、クリプトンなどを用いたり、これらを組み合わせた混合ガスを用いることもできる。  
ただし、不活性ガスは、キセノンとすることがより好ましい。  
なお、金属ハロゲン化物２の組成、不活性ガスの封入圧力などに関する詳細は後述する。
【００２３】
封止部１２は、板状を呈し、発光部１１の両端部のそれぞれに接合されている。封止部１２は、例えば、ピンチシール法を用いて形成することができる。なお、封止部１２は、シュリンクシール法により形成され、円柱状を呈したものであってもよい。一方の封止部１２には、境界部１３を介して円筒部１４が接合されている。
【００２４】
境界部１３および円筒部１４は、封止部１２の、発光部１１側とは反対側の端部に接合されている。
【００２５】
電極マウント３は、封止部１２の内部に設けられている。  
電極マウント３は、金属箔３１、電極３２、コイル３３、およびリード線３４を有する。
【００２６】
金属箔３１は、封止部１２の内部に設けられている。金属箔３１は、電極３２の、放電空間１１１側とは反対側の端部の近傍に接合されている。  
金属箔３１は、薄板状を呈し、例えば、モリブデン、レニウムモリブテン、タングステン、レニウムタングステンなどから形成することができる。
【００２７】
電極３２は、線状を呈している。電極３２の断面形状は、例えば、円形とすることができる。電極３２の太さ寸法（断面形状が円形の場合には直径寸法）は、０．２ｍｍ以上、０．４ｍｍ以下とすることができる。
【００２８】
なお、電極３２の太さ寸法は、電極３２が延びる方向において一定でなくてもよい。例えば、電極３２の太さ寸法は、先端部側が基端部側よりも大きくなっていてもよい。また、電極３２の先端部が球形となっていてもよい。また、直流点灯タイプのように、一方の電極の太さ寸法と、他方の電極の太さ寸法が異なるものであってもよい。
【００２９】
電極３２の一方の端部は、放電空間１１１内に突出している。すなわち、電極３２の一端は放電空間１１１の内部に設けられ、他端は封止部１２の内部に設けられている。一対の電極３２は、所定の距離を置いて互いに対向するように設けられている。一対の電極３２の先端同士の間の距離（電極間距離）は、例えば、３．４ｍｍ以上、４．４ｍｍ以下とすることができる。電極３２の他方の端部は、金属箔３１の、発光部１１側の端部近傍に接合されている。電極３２と金属箔３１の接合は、例えば、レーザ溶接により行うことができる。
【００３０】
電極３２は、例えば、純タングステン、ドープタングステン、レニウムタングステンなどから形成することができる。なお、電極３２は、トリウムを含有していてもよいし、トリウムを含有していなくてもよい。
【００３１】
コイル３３は、封止部１２にクラックが発生するのを抑制するために設けられている。  コイル３３は、例えば、ドープタングステンからなる金属線から形成することができる。コイル３３は、封止部１２の内部に設けられている。コイル３３は、電極３２の外側に巻きつけられている。例えば、コイル３３の線径は３０μｍ〜１００μｍ程度、コイルピッチは６００％以下とすることができる。
【００３２】
リード線３４は、線状を呈している。リード線３４の断面形状は、例えば、円形とすることができる。リード線３４は、例えば、モリブデンなどから形成することができる。リード線３４の一方の端部側は、金属箔３１の、発光部１１側とは反対側の端部近傍に接合されている。リード線３４と金属箔３１の接合は、レーザ溶接により行うことができる。リード線３４の他方の端部側は、内管１の外部にまで延びている。
【００３３】
サポートワイヤ３５は、Ｌ字状を呈し、放電ランプ１００の前端側から出ているリード線３４の端部に接合されている。サポートワイヤ３５とリード線３４との接合は、レーザ溶接により行うことができる。サポートワイヤ３５は、例えば、ニッケルから形成することができる。
【００３４】
スリーブ４は、サポートワイヤ３５の、内管１と平行に延びる部分を覆っている。スリーブ４は、例えば、円筒状を呈している。スリーブ４は、例えば、セラミックスから形成することができる。
【００３５】
金属バンド７１は、外管５の後端側の端部近傍に固定されている。
【００３６】
ソケット１０２は、本体部６１、取り付け金具７２、底部端子８１、および側部端子８２を有する。  
本体部６１は、樹脂などの絶縁性材料から形成されている。本体部６１の内部には、リード線３４の後端側、サポートワイヤ３５の後端側、およびスリーブ４の後端側が設けられている。
【００３７】
取り付け金具７２は、本体部６１の端部に設けられている。取り付け金具７２は、本体部６１の前端側に設けられている。取り付け金具７２は、本体部６１から突出している。取り付け金具７２は、金属バンド７１を保持する。取り付け金具７２により金属バンド７１を保持することで、バーナー１０１がソケット１０２に保持される。
【００３８】
底部端子８１は、本体部６１の内部に設けられている。底部端子８１は、本体部６１の後端側に設けられている。底部端子８１は、導電性材料から形成されている。底部端子８１は、リード線３４と電気的に接続されている。
【００３９】
側部端子８２は、本体部６１の側壁に設けられている。側部端子８２は、本体部６１の後端側に設けられている。側部端子８２は、導電性材料から形成されている。側部端子８２は、サポートワイヤ３５と電気的に接続されている。
【００４０】
底部端子８１と側部端子８２は、図示しない点灯回路と電気的に接続される。この場合、底部端子８１は、点灯回路の高圧側と電気的に接続される。側部端子８２は、点灯回路の低圧側と電気的に接続される。
【００４１】
放電ランプ１００が自動車の前照灯に用いられるものである場合には、放電ランプ１００は、中心軸（管軸）がほぼ水平の状態で、且つ、サポートワイヤ３５がほぼ下端側（下方）に位置するように取り付けられる。なお、この様な方向に取り付けられた放電ランプ１００を点灯することは、水平点灯と称される。
【００４２】
ここで、自動車の前照灯には、４０００Ｋ（ケルビン）程度の色温度の光を照射する放電ランプが用いられている。しかしながら、近年においては、より高い色温度の光を照射する放電ランプが好まれる傾向にある。  
放電ランプ１００から照射される光の色温度は、金属ハロゲン化物２の組成比により変更することができる。  
例えば、金属ハロゲン化物２に対するインジウムのハロゲン化物の重量比を大きくすれば、放電ランプ１００から照射される光の色温度が５５００Ｋ（ケルビン）以上となるようにすることができる。
【００４３】
ところが、単に、インジウムのハロゲン化物の重量比を大きくすることで照射される光の色温度が５５００Ｋ（ケルビン）以上となるようにすると、スカンジウムのハロゲン化物およびナトリウムのハロゲン化物の重量比が低くなり、全光束の低下、ひいては発光効率が低下するという新たな問題が生じる。  
なお、発光効率は、「全光束／ランプ電力（安定点灯時における印加電力）」である。
【００４４】
この場合、発光部１１の温度（発光管温度）が高くなるようにすれば、全光束が高くなり、ひいては発光効率が高くなる。  
このことは、以下のように説明することができる。つまり、発光部１１の温度が高くなれば、金属ハロゲン化物２の蒸気圧が高くなる。金属ハロゲン化物２の蒸気圧が高くなれば、電極３２から放出された電子と、金属ハロゲン化物２の分子とが衝突する割合が増える。電子と金属ハロゲン化物２の分子とが衝突する割合が増えると、全光束が増加し、ひいては発光効率が高くなる。
【００４５】
本発明者の得た知見によれば、発光部１１の温度は、放電空間１１１に封入されたキセノンの常温（２５℃）における圧力Ｘ（ａｔｍ）と、放電空間１１１の容積Ｖ（μＬ；マイクロリットル）とにより制御することができる。
【００４６】
例えば、放電空間１１１に封入されたキセノンの常温（２５℃）における圧力Ｘ（以下、封入圧力Ｘと称する）が、１０ａｔｍ以上、２０ａｔｍ以下であれば、封入圧力Ｘの上昇にほぼ比例して、発光部１１の温度が上昇する。キセノンの封入圧力Ｘと、発光部１１の温度との関係は、例えば、実験を行うことで求めることができる。例えば、キセノンの封入圧力Ｘが１３．５ａｔｍの場合には、発光部１１の温度は９２０℃程度となる。  
また、放電空間１１１の容積Ｖを小さくした場合には、電極３２間において発生した放電と、発光部１１の内壁１１ａとの間の距離が短くなる。そのため、放電空間１１１の容積Ｖを小さくした場合には、発光部１１の温度が上昇する。
【００４７】
ところが、キセノンの封入圧力Ｘと、放電空間１１１の容積Ｖとにより発光部１１の温度が高くなるようにすると、２つの問題が生じる。１つ目の問題は、金属ハロゲン化物２と発光部１１（発光管）との反応が促進され、発光部１１（発光管）の失透が進み、所定の光束を維持できる時間（寿命）が短くなることである。２つ目の問題は、金属ハロゲン化物２の蒸発量が増加し、初期の管電圧（電極３２間に印加する電圧）が上昇することである。  
自動車の前照灯などに用いられる放電ランプ１００は、バラスト回路などにより定格時の電力がほぼ一定となるように制御される。そのため、点灯開始時に管電圧が上昇すると、電流が小さくなり放電が抑制されるので、チラツキや不灯などが発生するそれがある。
そのため、放電ランプ１００の点灯開始時には管電圧が所定の範囲内（例えば、４５Ｖ以下）となるようにすることが好ましい。
【００４８】
この場合、金属ハロゲン化物２の量を少なくすれば、点灯開始時における金属ハロゲン化物２の蒸発量を少なくすることができるので、管電圧の上昇を抑制することができる。  ところが、点灯と消灯を繰り返すと、金属ハロゲン化物２に含まれるスカンジウムのハロゲン化物が徐々に減少する。そのため、金属ハロゲン化物２の量を少なくしすぎると、光の色温度が変動したり、所定の全光束を維持することができる時間（寿命）が短くなったりするおそれがある。
【００４９】
本発明者は検討の結果、金属ハロゲン化物２に対するインジウムのハロゲン化物の重量比を３５ｗｔ％以上とすれば、放電ランプ１００から照射される光の色温度が５５００Ｋ（ケルビン）以上となるようにすることができるとの知見を得た。
【００５０】
また、この際、金属ハロゲン化物２に対するインジウムのハロゲン化物の重量比を４５ｗｔ％以下、スカンジウムのハロゲン化物の重量比を３２ｗｔ％以上、５０ｗｔ％以下、ナトリウムのハロゲン化物の重量比を７ｗｔ％以上、１８ｗｔ％以下とし、キセノンの封入圧力Ｘ（ａｔｍ）と放電空間１１１の容積Ｖ（μＬ）とが以下の式を満足するようにすれば、初期の発光効率が８０ ｌｍ／Ｗ（ルーメン／ワット）以上、かつ、２０００時間点灯後の全光束が初期全光束の６０％以上となるようにすることができる。すなわち、この様にすれば、所定の全光束を維持することができる時間（寿命）を長くすることができる。
０．４５（ａｔｍ／μＬ）≦Ｘ／Ｖ（ａｔｍ／μＬ）≦０．５５（ａｔｍ／μＬ）
【００５１】
なお、前述したように、金属ハロゲン化物２には亜鉛のハロゲン化物をも含めるようにすることができる。この場合、金属ハロゲン化物２に対する亜鉛のハロゲン化物の重量比を大きくしすぎると管電圧が高くなりすぎて、チラツキや不灯などが発生するそれがある。
そのため、亜鉛のハロゲン化物の重量比は、１．０ｗｔ％以上、５．０ｗｔ％以下とすることが好ましい。
【００５２】
またさらに、金属ハロゲン化物２の重量をＭ（μｇ）とした場合に、以下の式を満足するようにすれば、初期の管電圧上昇を抑制しつつ、後述する２０００時間点灯後の全光束が初期全光束の６０％以上となるようにすることができる。すなわち、所定の全光束を維持することができる時間（寿命）を長くすることができる。  
７．２（μｇ／μＬ）≦Ｍ／Ｖ（μｇ／μＬ）≦１１．２（μｇ／μＬ）
【００５３】
表１は、「Ｍ／Ｖ」および「Ｘ／Ｖ」と、発光効率、管電圧、および寿命と、の関係を例示するための表である。  
【表１】
2017216151.tif 000003
なお、発光効率の評価においては、８０ ｌｍ／Ｗ（ルーメン／ワット）以上を「○」とし、８０ ｌｍ／Ｗ（ルーメン／ワット）未満を「×」としている。  
管電圧の評価においては、初期の管電圧が４５Ｖ以下の場合を「○」とし、４５Ｖを超えた場合を「×」としている。  
この場合、始動時に７５Ｗ、安定点灯時に３５Ｗとなるように、安定器（electrical ballast）を用いて制御した。  
寿命の評価においては、ＥＵ１２０分モードの点滅サイクルで放電ランプ１００を２０００時間点灯し、２０００時間経過後の全光束が初期の全光束の６０％以上の場合を「○」とし、６０％未満の場合を「×」としている。
【００５４】
また、金属ハロゲン化物２の組成比は、前述したものの範囲内としている。  
すなわち、ＩｎＢｒ：ＳｃＩ３：ＮａＩ：ＺｎＩ２＝３９ｗｔ％：４５ｗｔ％：１３ｗｔ％：３ｗｔ％としている。
この場合、放電ランプ１００から照射される光の色温度が５５００Ｋ（ケルビン）以上となることを確認した。  
また、金属ハロゲン化物２の組成比が前述したものの範囲内であれば、放電ランプ１００から照射される光の色温度が５５００Ｋ（ケルビン）以上となることを確認した。
【００５５】
また、放電空間１１１の容積Ｖは２５μＬ程度であった。  
放電空間１１１の容積Ｖは、例えば、発光部１１を切断して計測することができる。  
封入圧力Ｘは、１２ａｔｍとした。  
金属ハロゲン化物２の重量Ｍは、２００μｇとした。
【００５６】
表１から分かるように、０．４５（ａｔｍ／μＬ）≦Ｘ／Ｖ（ａｔｍ／μＬ）≦０．５５（ａｔｍ／μＬ）、且つ、７．２（μｇ／μＬ）≦Ｍ／Ｖ（μｇ／μＬ）≦１１．２（μｇ／μＬ）とすれば、光の色温度が５５００Ｋ（ケルビン）以上、発光効率が８０ ｌｍ／Ｗ（ルーメン／ワット）以上、初期の管電圧が４５Ｖ以下、「２０００時間経過後の光束維持率」が６０％以上となるようにすることができる。
すなわち、高い色温度の光を照射する放電ランプであっても、発光効率の向上、管電圧の上昇の抑制、および長寿命化を図ることができる。
【００５７】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００５８】
１  内管、２  金属ハロゲン化物、５  外管、１１  発光部、１２  封止部、３２  電極、１００  放電ランプ、１０１  バーナー、１０２  ソケット、１１１  放電空間
【図１】
2017216151.tif 000004